(57)【要約】【課題】空気調和機の室外ユニットにおいて、外観に統一感を持たせ意匠性を向上させることが可能な空気調和機の室外ユニットを提供する。【解決手段】室外機３は、板金製の前板５２と、前板５２に取り付けられた樹脂製のグリル５９と、を備えている。前板５２には、前方へと突き出す膨出部５２ｂが形成されている。膨出部５２ｂは、その正面５２ｃの前後位置が吹き出しグリル５９の正面５９ｄの前後位置と略同一となるように形成されている。【選択図】図５
2008151485.tif 000002
【特許請求の範囲】
【請求項１】
板金製の前板（５２）と、
前記前板に取り付けられた樹脂製の吹き出しグリル（５９）と、
を備え、
前記前板には、前方へと突き出す膨出部（５２ｂ）が形成され、
前記膨出部は、その正面（５２ｃ）の前後位置が前記吹き出しグリルの正面（５９ｄ）の前後位置と略同一となるように形成されている、
空気調和機の室外ユニット（３）。
【請求項２】
前記吹き出しグリルは、前後方向に傾斜して形成される第１側端面（５９ｃ）を有し、
前記膨出部は、前後方向に傾斜し前記第１側端面と略平行に形成される縁面（５２ｄ）を有している、
請求項１に記載の空気調和機の室外ユニット（３）。
【請求項３】
前記膨出部の前記縁面および前記正面は、互いの成す角が鈍角になっている、
請求項２に記載の空気調和機の室外ユニット（３）。
【請求項４】
前記吹き出しグリルの正面は、前記膨出部から離間した側の第２側端（５９ｅ）の近傍において曲面になっており、
前記前板は、前記膨出部から離間した側の側端（５２ｈ）から前記第２側端近傍にかけた面が曲面になっている、
請求項１から３のいずれか１項に記載の空気調和機の室外ユニット（３）。
【請求項５】
前記膨出部および前記吹き出しグリルの上端面（５２ｆ、５９ａ）および／または下端面（５２ｇ、５９ｂ）は、側面視において弧状に形成されている、
請求項１から４のいずれか１項に記載の空気調和機の室外ユニット（３）。
【発明の詳細な説明】
【技術分野】
【０００１】
本発明は、空気調和機の室外ユニット、特にそのケーシングに関する。
【背景技術】
【０００２】
一般に、空気調和機の室外ユニットにおいて、ケーシングの前板には樹脂製の吹き出しグリルが取り付けられている。
【０００３】
また、空気調和機の室外ユニットの中には、特許文献１に示すように、吹き出しグリルおよび前板の間のガタをなくしたものもある。
【特許文献１】特開平５−９３５３０号公報（平成５年４月１６日公開）
【発明の開示】
【発明が解決しようとする課題】
【０００４】
ところが、特許文献１に示す空気調和機の室外ユニットのケーシングでは、前板に取り付けられた吹き出しグリルが前板の正面から突き出し、外観に統一感がなかった。
【０００５】
本発明の課題は、空気調和機の室外ユニットにおいて、外観に統一感を持たせ意匠性を向上させることが可能な空気調和機の室外ユニットを提供することにある。
【課題を解決するための手段】
【０００６】
第１の発明に係る空気調和機の室外ユニットは、板金製の前板と、前板に取り付けられた樹脂製の吹き出しグリルと、を備えている。前板には、前方へと突き出す膨出部が形成されている。膨出部は、その正面の前後位置が吹き出しグリルの正面の前後位置と略同一となるように形成されている。
【０００７】
ここでは、膨出部の正面と吹き出しグリルの正面の前後位置が略同一となるように形成されている。このため、空気調和機の室外ユニットにおいて、外観に統一感を持たせて意匠性を向上させることができる。
【０００８】
第２の発明に係る空気調和機の室外ユニットは、第１の発明に係る空気調和機の室外ユニットであって、吹き出しグリルは、前後方向に傾斜して形成される第１側端面を有している。膨出部は、前後方向に傾斜し第１側端面と略平行に形成される縁面を有している。
【０００９】
ここでは、第１側端面および縁面は、前後方向に傾斜し、且つ、略平行に形成されている。このため、空気調和機の室外ユニットの正面側から見たときに、第１側端面および縁面の間の隙間が奥まで見えなくなる。
【００１０】
これにより、吹き出しグリルの第１側端面および膨出部の縁面の間の隙間が目立たなくなり、空気調和機の室外ユニットの外観に統一感を持たせることができる。
【００１１】
第３の発明に係る空気調和機の室外ユニットは、第２の発明に係る空気調和機の室外ユニットであって、膨出部の縁面および正面は、互いの成す角が鈍角になっている。
【００１２】
ここでは、縁面および正面は互いの成す角が鈍角となるように形成されている。
【００１３】
これにより、前板と前板に取り付けられた吹き出しグリルとの間の隙間が目立たなくなり、空気調和機の室外ユニットの外観に統一感を持たせることができる。
【００１４】
第４の発明に係る空気調和機の室外ユニットは、第１から第３の発明のいずれか１つに係る空気調和機の室外ユニットであって、吹き出しグリルの正面は、膨出部から離間した側の第２側端の近傍において曲面になっている。前板は、膨出部から離間した側の側端から第２側端近傍にかけた面が曲面になっている。
【００１５】
ここでは、吹き出しグリルの正面は、第２側端の近傍において曲面になっている。また、前板は、膨出部から離間した側の側端から第２側端近傍にかけた面が曲面になっている。このため、空気調和機の室外ユニットの外観に統一感を持たせることができる。
【００１６】
第５の発明に係る空気調和機の室外ユニットは、第１から第４の発明のいずれか１つに係る空気調和機の室外ユニットであって、膨出部および吹き出しグリルの上端面および／または下端面は、側面視において弧状に形成されている。
【００１７】
ここでは、側面視において、膨出部および吹き出しグリルの上端面および／または下端面は、弧状に形成されている。このため、空気調和機の室外ユニットの外観に統一感を持たせることができる。
【発明の効果】
【００１８】
第１〜第５の発明に係る空気調和機の室外ユニットによれば、空気調和機の室外ユニットにおいて、外観に統一感を持たせて意匠性を向上させることができる。
【発明を実施するための最良の形態】
【００１９】
本発明の一実施形態に係る空気調和機１について、図１〜図９を用いて説明すれば以下の通りである。
【００２０】
＜空気調和機の全体構成＞
空気調和機１は、図１に示すように、室内の壁面などに取り付けられる室内機２と、室外に設置される室外機（空気調和機の室外ユニット）３とを備えている。
【００２１】
室内機２内には室内熱交換器７０が収納され、室外機３内には室外熱交換器３０が収納されており、各熱交換器３０、７０が配管４１、４２により接続されることにより冷媒回路を構成している。
【００２２】
＜空気調和機の冷媒回路の構成概略＞
空気調和機１の冷媒回路の構成を図１に示す。この冷媒回路は、主として室内熱交換器７０、アキュムレータ３１、圧縮機３２、四路切換弁３３、室外熱交換器３０および電動膨張弁３４で構成される。
【００２３】
室内機２に設けられている室内熱交換器７０は、接触する空気との間で熱交換を行う。また、室内機２には、室内空気を吸い込んで室内熱交換器７０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって回転駆動される。
【００２４】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器７０の一端と接続される。また、四路切換弁３３は、ガス閉鎖弁３７を介して配管４２に接続されており、この配管４２を介して室内熱交換器７０の他端と接続されている。また、室外機３には、室外熱交換器３０での熱交換後の空気を外部に排出するための送風ファン３８が設けられている。この送風ファン３８は、ファンモータ３９によって回転駆動される。
【００２５】
以下、室外機３の構成について詳細に説明する。
【００２６】
＜室外機の構成＞
室外機３は、図２に示すように、室外機ケーシング５、圧縮機３２、四路切換弁３３、電動膨張弁３４（図１参照）、閉鎖弁３６，３７、リアクタ４０、電装品箱４３、室外熱交換器３０、送風ファン３８、ファンモータ３９、ファンモータ台４４、ベルマウス４５（図５参照）などを備えている。
【００２７】
室外機ケーシング５は、主として、天板５０、底板５１、前板５２、左側板５３、右側板５４、閉鎖弁カバー５５、仕切板５６を有している。
【００２８】
天板５０は、室外機３の上面に配置され、室外機３の内部空間の上面を覆う。天板５０は、板金で形成されている。
【００２９】
底板５１は、室外機３の下面に配置され、室外機３の内部空間の下方を覆う。底板５１は板金で形成されている。
【００３０】
前板５２は、室外機３の前面に配置され、室外機３の内部空間の前面を覆う。前板５２には、空気が吹き出す吹き出しグリル５９が取り付けられている。吹き出しグリル５９は、図７に示すように、格子状に形成されており、室外機３の内部から外部へと吹き出される空気がその格子の間を通り抜ける。前板５２および吹き出しグリル５９については、後段にて詳述する。
【００３１】
左側板５３は、室外機３の左側面に配置され、室外機３の内部空間の左側方を覆う。左側板５３は板金で形成されている。
【００３２】
右側板５４は、室外機３の内部空間の右側方を覆っている。右側板５４は板金で形成されている。また、右側板５４のさらに右側方すなわち外側には、閉鎖弁カバー５５が取り付けられる。
【００３３】
仕切板５６は、図３に示すように、底板５１に対して垂直に設けられており、室外機３の内部空間を左右に２つの空間に仕切る。仕切板５６に対して左側に位置する空間は、通気室となっており、室外機３の外部から取り込まれ室外熱交換器３０を通って室外へと排出される空気が通る空間となっている。仕切板５６に対して右側に位置する空間は、機械室となっており、通気室からある程度遮断された空間となっている。機械室には、機械部品の多くが収容される。
【００３４】
圧縮機３２は、機械室に配置されており、底板５１に固定される。四路切換弁３３は、圧縮機３２の側方に配置される。電動膨張弁３４（図１参照）は、圧縮機３２と同様に機械室に配置され、圧縮機３２の側方に配置される。閉鎖弁３６，３７は、右側板５４の下方に配置される。リアクタ４０は、仕切板５６の機械室側の側壁に配置される。電装品箱４３は、機械室の上部に配置される。電装品箱４３には、空気調和機の室外ユニットの制御を行うためのマイクロコンピュータチップや制御プログラムを格納するメモリなどの制御回路、その他の回路部品が内装されており、圧縮機３２、四路切換弁３３、電動膨張弁３４、ファンモータ３９、リアクタ４０、サーミスタ（図示せず）等とハーネスなどによって接続される。
【００３５】
室外熱交換器３０は、通気室に配置されており、通過する空気との間で熱交換を行う。室外熱交換器３０は、通気室の後部から左側部に沿って設けられており、略Ｌ字形状の形状を有している。
【００３６】
送風ファン３８、ファンモータ３９、ファンモータ台４４、ベルマウス４５は、通気室に配置されている。
【００３７】
＜前板および吹き出しグリル＞
前板５２は、図２に示すように、四角形状に形成された板金製の前板であり、室外機３の前面に配置されている。また、前板５２には、図４に示すように、開口部５２ａが円状に設けられている。そして、開口部５２ａの前面側には、後段にて詳述する吹き出しグリル５９が取り付けられている。さらに、前板５２の右側部分には、前方へと突き出して上下方向に延びる膨出部５２ｂが形成されている。また、前板５２において、図５に示すように、吹き出しグリル５９の左側端５２ｈは後方へと折り曲げて形成されている。そして、前板５２には、左側端５２ｈの正面側近傍から吹き出しグリル５９の左側端（第２側端）５９ｅにかけて緩やかな曲面が形成され、さらに前板５２の中央部付近手前までより緩やかな曲面が段階的に形成されている。
【００３８】
膨出部５２ｂは、図４に示すように、正面５２ｃ、縁面５２ｄ、外側面５２ｅ、上端面５２ｆ、下端面５２ｇによって形成されている。
【００３９】
縁面５２ｄは、前後方向に傾斜して形成されている。また、正面５２ｃおよび縁面５２ｄは、互いに成す角が鈍角（約１４０°）となるように形成されている。
【００４０】
外側面５２ｅは、断面が弧状となっており、曲面状に形成されている。
【００４１】
上端面５２ｆおよび下端面５２ｇは、図６に示すように、側面視において弧状に形成されている。
【００４２】
吹き出しグリル５９は、樹脂製の吹き出しグリルであり、上端面５９ａ、下端面５９ｂ、右側端面（第１側端面）５９ｃ、正面５９ｄ、左側端５９ｅによって形成されている。なお、吹き出しグリル５９は難燃性の樹脂によって成型されている。
【００４３】
右側端面５９ｃは、図８に示すように、前後方向に傾斜している。また、右側端面５９ｃおよび正面５９ｄは、互いに成す角が鋭角（約４０°）となるように形成されている。このため、図５に示すように、前板５２に取り付けた際に、右側端面５９ｃは、縁面５２ｄと略平行となり、右側端面５９ｃおよび縁面５２ｄの間の隙間Ｇが奥まで見えないので目立たない。
【００４４】
正面５９ｄは、図７に示すように、外形が略四角形状であり格子状に形成されている。そして、正面５９ｄは、図８に示すように、左側端５９ｅの近傍において曲面状に形成されている。このため、前板５２に取り付けられた際に、上記左側端５２ｈの正面側近傍から左側端５９ｅにかけて形成された曲面と略連続となる曲面が形成される。この結果、室外機３の外観に統一感を生じさせることができている。
【００４５】
上端面５９ａおよび下端面５９ｂは、側面視において、図９に示すように、弧状に形成されている。
【００４６】
なお、上端面５２ｆおよび上端面５９ａは、略同一となる曲率半径によって弧状に形成されており、連続性のある外郭ラインを形成している。また、下端面５２ｇおよび下端面５９ｂは、略同一となる曲率半径によって弧状に形成されており、連続性のある外郭ラインを形成している。
【００４７】
ここで、図５に示すように、膨出部５２ｂの正面５２ｃの前後位置は、吹き出しグリル５９の正面５９ｄにおける膨出部５２ｂ近傍部分の前後位置と略同一となるように配置されている。このため、室外機３の外観に統一感を持たせて意匠性を向上させることができる。
【００４８】
ベルマウス４５は、図５に示すように、開口部５２ａの周縁に設けられており前後方向に延びている。ベルマウス４５は、前板５２と一体に形成されている。そして、ベルマウス４５は、送風ファン３８によって生成され室外へと吹き出す空気流れを案内する。
【００４９】
＜室外機３の特徴＞
（１）
本実施形態の室外機３は、図５に示すように、板金製の前板５２と、前板５２に取り付けられた樹脂製のグリル５９と、を備えている。前板５２には、前方へと突き出す膨出部５２ｂが形成されている。膨出部５２ｂは、その正面５２ｃの前後位置が吹き出しグリル５９の正面５９ｄの前後位置と略同一となるように形成されている。
【００５０】
ここでは、膨出部５２ｂの正面５２ｃおよび吹き出しグリル５９の正面５９ｄの前後位置が略同一となるように形成されている。このため、室外機３の外観をスッキリとさせて、その外観に統一感を与えている。
【００５１】
この結果、室外機３の意匠性が従来の室外機よりも向上している。
【００５２】
（２）
本実施形態の室外機３において、図８に示すように、吹き出しグリル５９は前後方向に傾斜して形成される右側端面５９ｃを有している。膨出部５２ｂは、図５に示すように、前後方向に傾斜し右側端面５９ｃと略平行に形成される縁面５２ｄを有している。
【００５３】
ここでは、右側端面５９ｃおよび縁面５２ｄは、前後方向に傾斜しており、且つ、略平行に形成されている。このため、右側端面５９ｃおよび縁面５２ｄの間の隙間Ｇが奥まで見えないので目立たない。
【００５４】
この結果、室外機３の外観をスッキリさせて統一感を持たせている。
【００５５】
（３）
本実施形態の室外機３において、図４に示すように、膨出部５２ｂの縁面５２ｄおよび正面５２ｃは、互いの成す角が鈍角になっている。
【００５６】
これにより、前板５２と前板５２に取り付けられた吹き出しグリル５９との間の隙間Ｇが目立たなくなり、室外機３の外観に統一感が形成されている。
【００５７】
（４）
本実施形態の室外機３において、図５に示すように、吹き出しグリル５９の正面５９ｄは、膨出部５２ｂから離間した側の左側端５９ｅの近傍において曲面になっている。また、前板５２は、左側端５２ｈから吹き出しグリル５９の左側端５９ｅ近傍にかけた面が曲面になっている。
【００５８】
このため、室外機３の外観に統一感が形成されている。
【００５９】
（５）
本実施形態の室外機３において、図６に示すように、膨出部５２ｂの上端面５２ｆおよび下端面５２ｇは、側面視において弧状に形成されている。図９に示すように、吹き出しグリル５９の上端面５９ａおよび下端面５９ｂは、側面視において弧状に形成されている。
【００６０】
ここで、上端面５２ｆおよび上端面５９ａは、略同一となる曲率半径によって弧状に形成されており、連続性のある外郭ラインを形成している。また、下端面５２ｇおよび下端面５９ｂは、略同一となる曲率半径によって弧状に形成されており、連続性のある外郭ラインを形成している。このため、室外機３の外観に統一感が形成されている。
【００６１】
（６）
本実施形態の室外機３では、前板５２は板金によって形成されている。このように、前板５２を板金によって形成することで、防炎性を高めるといった効果もある。
【００６２】
また、室外機３では、吹き出しグリル５９のみ樹脂製部材によって形成している。このため、前板５２を樹脂部材によって形成した場合と比較して、製造コストを低く抑えることができるといったメリットもある。
【００６３】
また、従来、前板および吹き出しグリルを樹脂により一体に成型したものがある。
【００６４】
これに対して、室外機３では、前板５２を板金によって形成し、吹き出しグリル５９のみ樹脂製とすることで、製造コストを低くすることができるといった効果もある。
【００６５】
＜他の実施形態＞
以上、本発明の一実施形態について説明したが、本発明は上記実施形態に限定されるものではなく、発明の要旨を逸脱しない範囲で種々の変更が可能である。
【００６６】
（Ａ）
上記実施形態では、図６および図９に示すように、上端面５２ｆ、上端面５９ａ、下端面５２ｇ、下端面５９ｂは、側面視において弧状に形成されている例を挙げて説明した。しかし、本発明はこれに限定されるものではない。
【００６７】
例えば、室外機３の仕様に応じて、上端面５２ｆ、上端面５９ａ、だけ弧状に形成しても良い。また、例えば、下端面５２ｇ、下端面５９ｂ、だけ弧状に形成しても良い。
【００６８】
この場合にも、上記実施形態に係る室外ユニット１と同様の効果を得ることができる。
【００６９】
（Ｂ）
本発明では、上記実施形態に示すように、吹き出しグリル５９は樹脂製である。
【００７０】
これに対して、吹き出しグリル５９を鋼線等によって形成するといったことも考えられる。
【００７１】
この場合には、室外機３の防炎性をさらに向上させることが可能である。
【００７２】
（Ｃ）
上記実施形態では、図８に示すように、吹き出しグリル５９の右側端面５９ｃは前後方向に傾斜している例を挙げて説明した。しかし、本発明はこれに限定されるものではない。
【００７３】
例えば、従前の吹き出しグリルを流用する場合には、吹き出しグリルの側端に別途形成した前後方向に傾斜した樹脂製部材を接着して上記実施形態に示す吹き出しグリル５９と同様の形状としても良い。
【００７４】
この場合にも、上記実施形態に係る室外ユニット１と同様の効果を得ることができる。
【産業上の利用可能性】
【００７５】
本発明の空気調和機の室外ユニットは外観に統一感を持たせ意匠性を向上させるという効果を奏することから、空気調和機の室外ユニットに対して広く適用可能である。
【図面の簡単な説明】
【００７６】
【図１】本発明の一実施形態に係る空気調和機の冷媒回路の構成を示す図。
【図２】図１に示す室外ユニットの構成を示す分解斜視図。
【図３】図１に示す室外ユニットの内部構成を示す斜視図。
【図４】図２に示す前板の正面視における構成を示す図。
【図５】図２に示す前板の上面視における構成を示す図。
【図６】図２に示す前板の右側面から見た状態を示す図。
【図７】図２に示す吹き出しグリルの正面視における構成を示す図。
【図８】図２に示す吹き出しグリルの上面視における構成を示す図。
【図９】図２に示す吹き出しグリルを左側から見た状態を示す側面図。
【符号の説明】
【００７７】
１      空気調和機
３      室外機（空気調和機の室外ユニット）
５      室外機ケーシング
３８    送風ファン
３９    ファンモータ
４４    ファンモータ台
４５    ベルマウス
５０    天板
５１    底板
５２    前板
５２ａ  開口部
５２ｂ  膨出部
５２ｃ  正面
５２ｄ  縁面
５２ｅ  外側面
５２ｆ  上端面
５２ｇ  下端面
５２ｈ  左側端
５９    吹き出しグリル
５９ａ  上端面
５９ｂ  下端面
５９ｃ  右側端面（第１側端面）
５９ｄ  正面
５９ｅ  左側端（第２側端）
Ｇ    隙間
【図１】
2008151485.tif 000003
【図２】
2008151485.tif 000004
【図３】
2008151485.tif 000005
【図４】
2008151485.tif 000006
【図５】
2008151485.tif 000007
【図６】
2008151485.tif 000008
【図７】
2008151485.tif 000009
【図８】
2008151485.tif 000010
【図９】
2008151485.tif 000011